(57)【要約】      （修正有）【課題】Ａ３用紙スキャン機能を備えたＡ４スキャナー及びこのスキャン方法を提供する。【解決手段】本体と、自動原稿給紙装置１３０が一側に設けられ、本体を開閉するカバー１２０、及び原稿を積載する平板ガラス１１０を備えたスキャナーにおいて、本体の内部に設けられ、平板ガラスに密着された原稿をスキャンするスキャンセンサーと、自動原稿給紙装置及びスキャンセンサーの長さ方向と垂直に平板ガラスの上側に設けられ、自動原稿給紙装置及びスキャンセンサーの長さ方向に、平板ガラスに引入れられたスキャンセンサーのスキャン容量の２倍サイズの原稿が移送ローラー側に移送されるようにする移送ローラー部材と、移送ローラー部材駆動モータとを含み、スキャン容量を超過する原稿を分割してスキャンするスキャニング部、及びスキャニング部を通して分割スキャンされた二つのイメージを結合するためのイメージプロセッシングを行う画像処理部を含む。【選択図】図２
2010273314.tif 000002
【特許請求の範囲】
【請求項１】
本体と、自動原稿給紙装置が一側に設けられ、前記本体を開閉するカバー、及び前記本体の上部に形成され、原稿を積載する平板ガラスを備えたスキャナーにおいて、
前記本体の内部に設けられ、前記平板ガラスに密着された原稿をスキャンするスキャンセンサーと、前記自動原稿給紙装置及び前記スキャンセンサーの長さ方向と垂直に前記平板ガラスの上側に設けられ、前記自動原稿給紙装置及び前記スキャンセンサーの長さ方向に、前記平板ガラスに引入れられた前記スキャンセンサーのスキャン容量の２倍サイズの原稿が前記移送ローラー側に移送されるようにする移送ローラー部材と、前記移送ローラー部材と連結され、前記移送ローラー部材に駆動力を伝達する移送ローラー部材駆動モータとを含み、前記スキャンセンサーのスキャン容量を超過する原稿を分割してスキャンするスキャニング部；及び
前記スキャニング部を通して分割スキャンされた二つのイメージを結合するためのイメージプロセッシングを行う画像処理部を含むことを特徴とするＡ３用紙スキャン機能を備えたＡ４スキャナー。
【請求項２】
前記スキャニング部は、前記平板ガラスに積載された原稿がスキャンされるように信号を出力する原稿スキャンボタン；及び
前記原稿スキャンボタンから信号の伝達を受け、前記スキャンセンサー及び前記移送ローラー部材駆動モータが作動されるように信号を出力する制御部を含み、
前記制御部は前記原稿スキャンボタンの動作信号により、前記スキャンセンサー及び前記移送ローラー部材駆動モータに信号を出力して前記平板ガラスに密着された原稿が分割スキャンされるようにすることを特徴とする請求項１に記載のＡ３用紙スキャン機能を備えたＡ４スキャナー。
【請求項３】
前記スキャニング部は、前記原稿引入れ口に設けられて引入れられる原稿のサイズを感知する原稿サイズ感知センサーを更に含み、
前記制御部は前記原稿スキャンボタンの動作信号及び前記原稿サイズ感知センサーの感知結果によって、前記スキャンセンサー及び前記移送ローラー部材駆動モータに信号を出力し、前記平板ガラスに密着された原稿が選択的に分割スキャンされるようにすることを特徴とする請求項２に記載のＡ３用紙スキャン機能を備えたＡ４スキャナー。
【請求項４】
前記スキャンセンサーは、前記原稿を分割スキャンする場合に、前記分割スキャンされた二つのイメージが重なり合う部分が生じるように、前記原稿の半分以上を各々スキャンすることを特徴とする請求項３に記載のＡ３用紙スキャン機能を備えたＡ４スキャナー。
【請求項５】
前記カバーは、前記移送ローラ部材によって移送される原稿の引入れ及び引出しのために上端と下端に各々原稿引入れ口及び原稿引出し口を形成したことを特徴とする請求項１に記載のＡ３用紙スキャン機能を備えたＡ４スキャナー。
【請求項６】
前記本体は、前記自動原稿給紙装置及び前記スキャンセンサーの長さ方向と垂直に引入れられる原稿を支持するように、前記平板ガラスの下側に設けられた支持フラップを含むことを特徴とする請求項１に記載のＡ３用紙スキャン機能を備えたＡ４スキャナー。
【請求項７】
前記移送ローラー部材は、前記自動原稿給紙装置に設けられた移送ローラーと連動して駆動されることを特徴とする請求項１に記載のＡ３用紙スキャン機能を備えたＡ４スキャナー。
【請求項８】
ａ）原稿の短側部を平板ガラスに整列する段階；
ｂ）原稿スキャンボタンをクリックする段階；
ｃ）制御部が前記原稿スキャンボタンの信号により平板ガラスに密着された原稿の一部がスキャンされるようにスキャンセンサーに信号を出力する段階；
ｄ）制御部がスキャンされていない原稿の残りの部分が平板ガラスに密着されるように移送ローラー部材駆動モータに信号を出力する段階；
ｅ）制御部が前記原稿の残りの部分がスキャンされるように前記スキャンセンサーに信号を出力する段階；及び
ｆ）画像処理部が前記スキャンセンサーによってスキャンされた二つのイメージを併合するイメージプロセッシングを行う段階を含むことを特徴とする請求項１乃至７の少なくとも何れか１項に記載のＡ３用紙スキャン機能を備えたＡ４スキャナーのスキャン方法。
【請求項９】
前記ｂ段階及び前記ｃ段階の間に、原稿サイズ感知センサーを通して前記平板ガラスに整列された原稿のサイズを感知する段階を更に含み、
前記制御部は、前記原稿サイズ感知センサーの感知結果、前記平板ガラスに整列された原稿が前記スキャンセンサーのスキャン容量より大きい場合に、前記ｃ，ｄ，ｅ，ｆ段階を行うことを特徴とする請求項８に記載のＡ３用紙スキャン機能を備えたＡ４スキャナーのスキャン方法。
【請求項１０】
前記スキャンセンサーは、分割スキャンされた二つのイメージが重なり合う部分が生じるように、前記原稿の半分以上を各々スキャンすることを特徴とする請求項９に記載のＡ３用紙スキャン機能を備えたＡ４スキャナーのスキャン方法。
【請求項１１】
上部に原稿を積載できる平板ガラスを備えた本体と、前記本体の前記平板ガラスを開閉するカバーを含むスキャナーにおいて、
前記本体に内蔵され原稿をスキャンするスキャンセンサー；前記カバーの後方側に設けられ、内部が多数のローラーでなる移送ローラー部材を備え、後方側に原稿給紙口及び原稿排紙口が上下並んで形成され、前方側に前記原稿給紙口を通して給紙された原稿の一部が前記平板ガラスの外側に露出されるように原稿露出口が形成された自動原稿給紙装置；及び前記移送ローラー部材が選択的に正回転又は逆回転するように前記移送ローラー部材に駆動力を伝達する移送ローラー部材駆動モータを含み、前記スキャンセンサーのスキャン容量を超過する原稿を分割してスキャンするスキャニング部；及び
前記スキャニング部を通して分割スキャンされた二つのイメージを結合するためのイメージプロセッシングを行う画像処理部を含むことを特徴とするＡ３用紙スキャン機能を備えたＡ４スキャナー。
【請求項１２】
前記移送ローラー部材は、前記原稿給紙口に隣接して設けられた給紙ローラーと、前記原稿露出口に隣接して設けられた移送ローラーを含み、
前記移送ローラーは、前記移送ローラー部材駆動モータによって正回転又は逆回転されて給紙された原稿が、前記原稿露出口又は前記原稿排紙口側に移送されるようにすることを特徴とする請求項１１に記載のＡ３用紙スキャン機能を備えたＡ４スキャナー。
【請求項１３】
前記スキャニング部は、前記原稿給紙口に積載された原稿がスキャンされるように信号を出力する原稿スキャンボタン；及び
前記原稿スキャンボタンから信号の伝達を受け、前記スキャンセンサー及び前記移送ローラー部材駆動モータが作動されるように信号を出力する制御部を含み、
前記制御部は、前記原稿スキャンボタンの動作信号によって、前記スキャンセンサー及び前記移送ローラー部材駆動モータに信号を出力し、前記平板ガラスに密着された原稿が分割スキャンされるようにすることを特徴とする請求項１２に記載のＡ３用紙スキャン機能を備えたＡ４スキャナー。
【請求項１４】
前記スキャニング部は、前記原稿引入れ口に設けられ、引入れられる原稿のサイズを感知する原稿サイズ感知センサーを更に含み、
前記制御部は前記原稿スキャンボタンの動作信号及び前記原稿サイズ感知センサーの感知結果により、前記スキャンセンサー及び前記移送ローラー部材駆動モータに信号を出力し、前記平板ガラスに密着された原稿が選択的に分割スキャンされるようにすることを特徴とする請求項１３に記載のＡ３用紙スキャン機能を備えたＡ４スキャナー。
【請求項１５】
前記スキャンセンサーは、前記原稿を分割スキャンする場合に、前記分割スキャンされた二つのイメージが重なり合う部分が生じるように、前記原稿の半分以上を各々スキャンすることを特徴とする請求項１４に記載のＡ３用紙スキャン機能を備えたＡ４スキャナー。
【請求項１６】
ａ）原稿の短側部を原稿給紙口に整列する段階；
ｂ）原稿スキャンボタンをクリックする段階；
ｃ）制御部が前記原稿スキャンボタンの信号により移送ローラー部材駆動モータに信号を出力し、原稿給紙口に整列された原稿の一部が平板ガラスに密着されるようにする段階；
ｄ）制御部が前記平板ガラスに密着された原稿の一部がスキャンされるように、スキャンセンサーに信号を出力する段階；
ｅ）制御部がスキャンされていない原稿の残りの部分が前記平板ガラスに密着されるように、移送ローラー部材駆動モータに信号を出力する段階；
ｆ）制御部が前記原稿の残りの部分がスキャンされるように前記スキャンセンサーに信号を出力する段階；及び
ｇ）画像処理部が前記スキャンセンサーによってスキャンされた二つのイメージを併合するイメージプロセッシングを行う段階を含むことを特徴とする第１項乃至第５項の少なくとも何れか１項に記載のＡ３用紙スキャン機能を備えたＡ４スキャナーのスキャン方法。
【請求項１７】
前記ｂ段階及び前記ｃ段階の間に、原稿サイズ感知センサーを通して前記平板ガラスに整列された原稿のサイズを感知する段階を更に含み、
前記制御部は、前記原稿サイズ感知センサーの感知結果、前記平板ガラスに整列された原稿が前記スキャンセンサーのスキャン容量より大きい場合に、前記ｃ，ｄ，ｅ，ｆ，ｇ段階を行うことを特徴とする請求項１６に記載のＡ３用紙スキャン機能を備えたＡ４スキャナーのスキャン方法。
【請求項１８】
前記スキャンセンサーは、分割スキャンされた二つのイメージが重なり合う部分が生じるように、前記原稿の半分以上を各々スキャンすることを特徴とする  請求項１７に記載のＡ３用紙スキャン機能を備えたＡ４スキャナーのスキャン方法。
【発明の詳細な説明】
【技術分野】
【０００１】
本発明はスキャナーに関するものであって、更に詳しくは、Ａ４専用スキャンセンサーでＡ３原稿をスキャンすることができる、Ａ３用紙スキャン機能を備えた  Ａ４スキャナー及びこのスキャン方法に関するものである。
【背景技術】
【０００２】
一般的に、スキャナー（画像形成装置）は、入力された画像信号を印刷媒体に印刷する装置であって、プリンター、コピー機、又はこれらの機能を一つの装置に統合して具現した複合機などがこれに該当する。
【０００３】
このようなスキャナーは、スキャン手段を通して原稿に記録された画像をスキャンするスキャニング部を含む。スキャニング部が原稿から情報を読み取るためには、スキャニング部のスキャンセンサーが移動するか、対象体である原稿が移動する必要がある。
【０００４】
ここで、原稿を固定させ、スキャンセンサーが移動する方式をフラットベッド型（Ｆｌａｔ  Ｂｅｄ  Ｔｙｐｅ）と言い、スキャンセンサーは停止されており、原稿が移動する方式をシートフィード型（Ｓｈｅｅｔ  Ｆｅｅｄ  ｔｙｐｅ）と言う。最近の複合機はこの二つの方式を全部採用しており、このようなスキャナーの例が図１に示されている。
【０００５】
図面に示されているように、スキャナー５０はカバー１０と本体３０を含む。カバー１０には自動原稿給紙装置２０（Ａｕｔｏｍａｔｉｃ  Ｄｏｃｕｍｅｎｔ  Ｆｅｅｄｅｒ）が設けられ、本体３０には自動原稿給紙装置２０によって供給された原稿をスキャンするスキャンセンサー４０が設けられる。
【０００６】
ここで、スキャンセンサー４０は、電荷を用いて被写体の像が結ばれるようにする撮像素子の一つであるＣＣＤ（ｃｈａｒｇｅ  ｃｏｕｐｌｅｄ  ｄｅｖｉｃｅ）が内臓されたＣＣＤＭ（ＣＣＤ  Ｍｏｄｕｌｅ）が使用されるか、原稿をスキャンするＣＩＳ（ＣＭＯＳ  Ｉｍａｇｅ  Ｓｅｎｓｏｒ）が使用される。
【０００７】
自動原稿給紙装置２０は、一般的に、給紙される原稿が‘Ｃ’形状の移送経路Ｐを有するようになっており、原稿台２１に積載された原稿は、ピックアップローラー２２、移送ローラー２３、フィーディングローラ２４を通してスキャンセンサー４０上部に流入される。原稿はスキャンセンサー４０によってスキャンされた後、排紙ローラー２５を通して流出される。
【０００８】
このように、自動原稿給紙装置２０を用いると、多枚の用紙を容易にスキャンすることができる。
【０００９】
また、自動原稿給紙装置２０を通さずに、原稿をスキャンすることができる。このためには、まず、カバー１０を開放した後、本体３０の上面に設けられた平板ガラス３１に原稿を整列させた状態でスキャン作業を実施する。そうすると、スキャンセンサー４０が矢印Ａで示された方向にスキャン窓の下部を往復移動しながら原稿をスキャンする。
【００１０】
従って、スキャンセンサー４０が移動することにより、自動原稿給紙装置２０を用いずに単枚の原稿をスキャンすることができる。
【００１１】
一方、このようにスキャン機能を備えた従来の複合機は一番多く使用されるＡ４用紙のサイズに合わせてスキャンセンサー４０が設けられている。従って、Ａ４用紙より大きいＡ３用紙をスキャンするためには、Ａ３専用スキャナーが必要であった。
【００１２】
しかし、Ａ３専用スキャナーは一般的なＡ４用紙スキャナーで使用されるスキャンセンサーより２倍大きいスキャンセンサーを使用しなければならなく、このようなスキャンセンサーのサイズ増加は、直ちに製品の製造原価の上昇に直結されるため、Ａ３スキャナーの使用頻度が低い事務室や家庭では別途Ａ３スキャナーを購買することは難しかった。
【発明の概要】
【発明が解決しようとする課題】
【００１３】
本発明は、上記のような実情を鑑みて行われたものであって、Ａ４専用スキャンセンサーでＡ３原稿をスキャンすることができる、Ａ３用紙スキャン機能を備えたＡ４スキャナー及びこのスキャン方法を提供することにその目的がある。
【課題を解決するための手段】
【００１４】
上記のような目的を達成するための本発明の形態によると、本体と、自動原稿給紙装置が一側に設けられ、前記本体を開閉するカバー、及び前記本体の上部に形成され、原稿を積載する平板ガラスを備えたスキャナーにおいて、前記本体の内部に設けられ、前記平板ガラスに密着された原稿をスキャンするスキャンセンサーと、前記自動原稿給紙装置及び前記スキャンセンサーの長さ方向と垂直に前記平板ガラスの上側に設けられ、前記自動原稿給紙装置及び前記スキャンセンサーの長さ方向に、前記平板ガラスに引き入れられた前記スキャンセンサーのスキャン容量の２倍サイズの原稿が前記移送ローラー側に移送されるようにする移送ローラー部材と、前記移送ローラー部材と連結され、前記移送ローラー部材に駆動力を伝達する移送ローラー部材駆動モータとを含み、前記スキャンセンサーのスキャン容量を超過する原稿を分割してスキャンするスキャニング部；及び前記スキャニング部を通して分割スキャンされた二つのイメージを結合するためのイメージプロセッシングを行う画像処理部を含むことを特徴とする。
【００１５】
好ましくは、前記スキャニング部は、前記平板ガラスに積載された原稿がスキャンされるように信号を出力する原稿スキャンボタン；及び前記原稿スキャンボタンから信号の伝達を受け、前記スキャンセンサー及び前記移送ローラー部材駆動モータが作動されるように信号を出力する制御部を含み、前記制御部は前記原稿スキャンボタンの動作信号により、前記スキャンセンサー及び前記移送ローラー部材駆動モータに信号を出力して前記平板ガラスに密着された原稿が分割スキャンされるようにすることを特徴とする。
【００１６】
更に好ましくは、前記スキャニング部は、前記原稿引入れ口に設けられて引き入れられる原稿のサイズを感知する原稿サイズ感知センサーを更に含み、前記制御部は前記原稿スキャンボタンの動作信号及び前記原稿サイズ感知センサーの感知結果によって、前記スキャンセンサー及び前記移送ローラー部材駆動モーターに信号を出力し、前記平板ガラスに密着された原稿が選択的に分割スキャンされるようにすることを特徴とする。
【００１７】
更に好ましくは、前記スキャンセンサーは、前記原稿を分割スキャンする場合に、前記分割スキャンされた二つのイメージが重なり合う部分が生じるように、前記原稿の半分以上を各々スキャンすることを特徴とする。
【００１８】
好ましくは、前記カバーは、前記移送ローラ部材によって移送される原稿の引き入れ及び引出しのために上端と下端に各々原稿引入れ口及び原稿引出し口を形成したことを特徴とする。
【００１９】
また、前記本体は、前記自動原稿給紙装置及び前記スキャンセンサーの長さ方向と垂直に引き入れられる原稿を支持するように、前記平板ガラスの下側に設けられた支持フラップを含むことを特徴とする。
【００２０】
また、前記移送ローラ部材は、前記自動原稿給紙装置に設けられた移送ローラーと連動して駆動されることを特徴とする。
【００２１】
本発明は、また、ａ）原稿の短側部を平板ガラスに整列する段階；ｂ）原稿スキャンボタンをクリックする段階；ｃ）制御部が前記原稿スキャンボタンの信号により平板ガラスに密着された原稿の一部がスキャンされるようにスキャンセンサーに信号を出力する段階；ｄ）制御部がスキャンされていない原稿の残りの部分が平板ガラスに密着されるように移送ローラー部材駆動モータに信号を出力する段階；ｅ）制御部が前記原稿の残りの部分がスキャンされるように前記スキャンセンサーに信号を出力する段階；及びｆ）画像処理部が前記スキャンセンサーによってスキャンされた二つのイメージを併合するイメージプロセッシングを行う段階を含むことを特徴とする。
【００２２】
好ましくは、前記ｂ段階及び前記ｃ段階の間に、原稿サイズ感知センサーを通して前記平板ガラスに整列された原稿のサイズを感知する段階を更に含み、前記制御部は、前記原稿サイズ感知センサーの感知結果、前記平板ガラスに整列された原稿が前記スキャンセンサーのスキャン容量より大きい場合に、前記ｃ，ｄ，ｅ，ｆ段階を行うことを特徴とする。
【００２３】
更に好ましくは、前記スキャンセンサーは、分割スキャンされた二つのイメージが重なり合う部分が生じるように、前記原稿の半分以上を各々スキャンすることを特徴とする。
【００２４】
本発明の更に他の形態によると、上部に原稿を積載できる平板ガラスを備えた本体と、前記本体の前記平板ガラスを開閉するカバーを含むスキャナーにおいて、前記本体に内蔵され原稿をスキャンするスキャンセンサー；前記カバーの後方側に設けられ、内部が多数のローラーでなる移送ローラー部材を備え、後方側に原稿給紙口及び原稿排紙口が上下並んで形成され、前方側に前記原稿給紙口を通して給紙された原稿の一部が前記平板ガラスの外側に露出されるように原稿露出口が形成された自動原稿給紙装置；及び前記移送ローラー部材が選択的に正回転又は逆回転するように前記移送ローラー部材に駆動力を伝達する移送ローラー部材駆動モータを含み、前記スキャンセンサーのスキャン容量を超過する原稿を分割してスキャンするスキャニング部；及び前記スキャニング部を通して分割スキャンされた二つのイメージを結合するためのイメージプロセッシングを行う画像処理部を含むことを特徴とする。
【００２５】
好ましくは、前記移送ローラー部材は、前記原稿給紙口に隣接して設けられた給紙ローラーと、前記原稿露出口に隣接して設けられた移送ローラーを含み、前記移送ローラーは、前記移送ローラー部材駆動モータによって正回転又は逆回転されて給紙された原稿が、前記原稿露出口又は前記原稿排紙口側に移送されるようにすることを特徴とする。
【００２６】
更に好ましくは、前記スキャニング部は、前記原稿給紙口に積載された原稿がスキャンされるように信号を出力する原稿スキャンボタン；及び前記原稿スキャンボタンから信号の伝達を受け、前記スキャンセンサー及び前記移送ローラー部材駆動モータが作動されるように信号を出力する制御部を含み、前記制御部は、前記原稿スキャンボタンの動作信号によって、前記スキャンセンサー及び前記移送ローラー部材駆動モータに信号を出力し、前記平板ガラスに密着された原稿が分割スキャンされるようにすることを特徴とする。
【００２７】
更に好ましくは、前記スキャニング部は、前記原稿引入れ口に設けられ、引き入れられる原稿のサイズを感知する原稿サイズ感知センサーを更に含み、前記制御部は前記原稿スキャンボタンの動作信号及び前記原稿サイズ感知センサーの感知結果により、前記スキャンセンサー及び前記移送ローラー部材駆動モータに信号を出力し、前記平板ガラスに密着された原稿が選択的に分割スキャンされるようにすることを特徴とする。
【００２８】
好ましくは、前記スキャンセンサーは、前記原稿を分割スキャンする場合に、前記分割スキャンされた二つのイメージが重なり合う部分が生じるように、前記原稿の半分以上を各々スキャンすることを特徴とする。
【００２９】
本発明は、また、ａ）原稿の短側部を原稿給紙口に整列する段階；ｂ）原稿スキャンボタンをクリックする段階；ｃ）制御部が前記原稿スキャンボタンの信号により移送ローラー部材駆動モータに信号を出力し、原稿給紙口に整列された原稿の一部が平板ガラスに密着されるようにする段階；ｄ）制御部が前記平板ガラスに密着された原稿の一部がスキャンされるように、スキャンセンサーに信号を出力する段階；ｅ）制御部がスキャンされていない原稿の残りの部分が前記平板ガラスに密着されるように、移送ローラー部材駆動モータに信号を出力する段階；ｆ）制御部が前記原稿の残りの部分がスキャンされるように前記スキャンセンサーに信号を出力する段階；及びｇ）画像処理部が前記スキャンセンサーによってスキャンされた二つのイメージを併合するイメージプロセッシングを行う段階を含むことを特徴とする。
【００３０】
好ましくは、前記ｂ段階及び前記ｃ段階の間に、原稿サイズ感知センサーを通して前記平板ガラスに整列された原稿のサイズを感知する段階を更に含み、前記制御部は、前記原稿サイズ感知センサーの感知結果、前記平板ガラスに整列された原稿が前記スキャンセンサーのスキャン容量より大きい場合に、前記ｃ，ｄ，ｅ，ｆ，ｇ段階を行うことを特徴とする。
【００３１】
更に好ましくは、前記スキャンセンサーは、分割スキャンされた二つのイメージが重なり合う部分が生じるように、前記原稿の半分以上を各々スキャンすることを特徴とする。
【発明の効果】
【００３２】
本発明によるＡ３用紙スキャン機能を備えたＡ４スキャナー及びこのスキャン方法は、Ａ４専用スキャンセンサーでＡ３原稿をスキャンすることができる。
【００３３】
従って、Ａ３原稿をスキャンするためのＡ３専用スキャンセンサーを備える必要がなく、製品の製造原価を大幅節減できる効果がある。
【図面の簡単な説明】
【００３４】
【図１】従来技術によるスキャナーの一例を示した図面である。
【図２】本発明の第１実施例によるＡ３用紙スキャン機能を備えたＡ４スキャナーを概略的に示した図面である。
【図３】本発明の第１実施例によるＡ３用紙スキャン機能を備えたＡ４スキャナーの上部を示した図面である。
【図３ａ】図３に示したＡ部分の拡大図である。
【図４】本発明の第１実施例によるＡ３用紙スキャン機能を備えたＡ４スキャナーのスキャニング部の一形態を概略的に示したブロック図である。
【図５】本発明の第１実施例によるＡ３用紙スキャン機能を備えたＡ４スキャナーのスキャン方法を概略的に示したフローチャートである。
【図６】本発明の第１実施例によるＡ３用紙スキャン機能を備えたＡ４スキャナーのスキャニング部の他の形態を概略的に示したブロック図である。
【図７】本発明の第１実施例によるＡ３用紙スキャン機能を備えたＡ４スキャナーのスキャン方法の他の形態を概略的に示したフローチャートである。
【図８】本発明の第２実施例によるＡ３用紙スキャン機能を備えたＡ４スキャナーを概略的に示した斜視図である。
【図９】本発明の第２実施例によるＡ３用紙スキャン機能を備えたＡ４スキャナーを概略的に示した側面構成図である。
【図９ａ】図９に示したＡ部分の拡大図である。
【図１０】本発明の第２実施例によるＡ３用紙スキャン機能を備えたＡ４スキャナーのスキャニング部の一形態を概略的に示したブロック図である。
【図１１】本発明の第２実施例によるＡ３用紙スキャン機能を備えたＡ４スキャナーのスキャン方法を概略的に示したフローチャートである。
【図１２ａ】本発明の第２実施例によるＡ３用紙スキャン機能を備えたＡ４スキャナーのスキャン過程を概略的に示した斜視図である。
【図１２ｂ】本発明の第２実施例によるＡ３用紙スキャン機能を備えたＡ４スキャナーのスキャン過程を概略的に示した斜視図である。
【図１２ｃ】本発明の第２実施例によるＡ３用紙スキャン機能を備えたＡ４スキャナーのスキャン過程を概略的に示した斜視図である。
【図１２ｄ】本発明の第２実施例によるＡ３用紙スキャン機能を備えたＡ４スキャナーのスキャン過程を概略的に示した斜視図である。
【図１３ａ】本発明の第２実施例によるＡ３用紙スキャン機能を備えたＡ４スキャナーの更に他のスキャン方法を概略的に示した斜視図である。
【図１３ｂ】本発明の第２実施例によるＡ３用紙スキャン機能を備えたＡ４スキャナーの更に他のスキャン方法を概略的に示した斜視図である。
【図１３ｃ】本発明の第２実施例によるＡ３用紙スキャン機能を備えたＡ４スキャナーの更に他のスキャン方法を概略的に示した斜視図である。
【図１３ｄ】本発明の第２実施例によるＡ３用紙スキャン機能を備えたＡ４スキャナーの更に他のスキャン方法を概略的に示した斜視図である。
【図１４】本発明の第２実施例によるＡ３用紙スキャン機能を備えたＡ４スキャナーのスキャニング部の他の形態を概略的に示したブロック図である。
【図１５】本発明の第２実施例によるＡ３用紙スキャン機能を備えたＡ４スキャナーのスキャン方法の他の形態を概略的に示したフローチャートである。
【発明を実施するための形態】
【００３５】
以下、添付された図面を参照し、本発明によるＡ３用紙スキャン機能を備えたＡ４スキャナー及びこのスキャン方法の好ましい実施例を説明する。
【００３６】
＜第１実施例＞
図２は本発明の第１実施例によるＡ３用紙スキャン機能を備えたＡ４スキャナーを概略的に示した図面であり、図３は本発明の第１実施例によるＡ３用紙スキャン機能を備えたＡ４スキャナーの上部を示した図面であり、図３ａは図３に示したＡ部分の拡大図であり、図４は本発明の第１実施例によるＡ３用紙スキャン機能を備えたＡ４スキャナーのスキャニング部の一形態を概略的に示したブロック図である。
【００３７】
図２乃至図４に示したように、本発明の第１実施例によるＡ３用紙スキャン機能を備えたＡ４スキャナーは、上部に原稿１０を積載できるように平板ガラスを備えた本体１００と、一側に自動原稿給紙装置が設けられ、本体１００の上部に備えられた平板ガラス１１０を開閉するカバー１２０を含むスキャナーであって、原稿を分割スキャンするスキャニング部２００、及びスキャニング部２００を通して分割スキャンされたイメージを結合する画像処理部３００を含んで構成される。
【００３８】
スキャニング部２００は、スキャンセンサー２１０、移送ローラー部材２２０、及び  移送ローラー部材駆動モータ２３０を含む。
【００３９】
ここで、スキャンセンサー２１０はＣＣＤ（ｃｈａｒｇｅ  ｃｏｕｐｌｅｄ  ｄｅｖｉｃｅ）モジュールであるＣＣＤＭ又はＣＩＳ（ＣＭＯＳ  Ｉｍａｇｅ  Ｓｅｎｓｏｒ）であって、図２及び図３において本体１００の左側上部、正確には、後述される自動原稿給紙装置１３０の下部に設けられ、自動原稿給紙装置１３０を通して給紙される原稿をスキャンする。また、スキャンセンサー２１０は左右に往復移動が可能に設けられ、平板ガラス１１０上に載せられた原稿１１０をスキャンすることができる。
【００４０】
一般的に、このスキャンセンサー２１０はＡ４サイズの原稿をスキャンするために、その長さがＡ４用紙の短側部長さ（２１０ｍｍ）に合わせて設計される。即ち、スキャンセンサー２１０は、Ａ４用紙の短側部（２１０ｍｍ）に並んで整列された状態でＡ４用紙の長側部（２９７ｍｍ）に沿って原稿をスキャンするように設計される。
【００４１】
一方、自動原稿給紙装置１３０は、カバー１２０の左側、正確にはスキャンセンサー２１０が設けられた位置の上部に設けられ、多枚の原稿が自動に給紙され排出されるように構成される。具体的に、自動原稿給紙装置１３０は内部に多数の給紙ローラー１３１，１３２，１３３を備え、給紙部１３４を通して給紙された原稿を排紙部１３５を通して排出する。
【００４２】
この際に、スキャンセンサー２１０は、自動原稿給紙装置１３０の下部に停止された状態で、給紙される原稿をスキャンする。従って、スキャンされる原稿は平板ガラス１００を経ずにスキャンされる。
【００４３】
また、本発明の第１実施例によるＡ３用紙スキャン機能を備えたＡ４スキャナーのスキャニング部２００は、自動原稿給紙装置１３０の内部に設けられたローラーとは別途設けられた移送ローラー部材２２０、及びこの移送ローラー部材２２０を駆動するための移送ローラー部材駆動モータ２３０を含む。
【００４４】
移送ローラー部材２２０は、平板ガラス１１０の上側に自動原稿給紙装置１３０及びスキャンセンサー２１０の長さ方向と垂直な方向に、即ち、平板ガラス１１０の上側に横方向に設けられる。
【００４５】
具体的に、移送ローラー部材２２０は、平板ガラス１１０の上側に横方向に設けられる移送ローラー軸２２１と、この移送ローラー軸２２１に回転可能に装着された多数の移送ローラー２２２を含めて構成される。
【００４６】
このように構成された移送ローラー部材２２０は、自動原稿給紙装置１３０及びスキャンセンサー２１０の長さ方向に平板ガラス１１０に引き入れられた原稿１０が移送ローラー２２２側に移送されるように作動する。
【００４７】
例えば、Ａ３サイズの原稿をスキャンするために平板ガラス１００上でＡ３原稿１０の短側部を移送ローラー部材２２０に整列させた状態で、  移送ローラー部材２２０が作動すると、Ａ３原稿１０は移送ローラー２２２の回転によって移送ローラー部材２２０側に移送される。
【００４８】
また、移送ローラー部材駆動モータ２３０は移送ローラー部材２２０、即ち、移送ローラー軸２２１と連結され移送ローラー軸２２１に駆動力を伝達することによって、移送ローラー２２２が回転されるようにする。
【００４９】
この際に、移送ローラー部材駆動モータ２３０は、移送ローラー部材２２０が平板ガラス１１０に置かれたＡ３原稿１０の上部がスキャンセンサー２１０によってスキャンされた後、スキャンされていないＡ３原稿１０の残りの部分が平板ガラス１１０に置かれるように移送ローラー部材２２０に駆動力を伝達する。
【００５０】
従って、スキャンセンサー２１０が二回往復しながらＡ３原稿１０全体をスキャンすることになる。即ち、Ａ４原稿のみスキャンできた一般的なスキャンセンサー２１０を用いて、自分のスキャン容量の二倍サイズのＡ３原稿をスキャンすることができる。
【００５１】
画像処理部３００は、スキャニング部２００を通してスキャンされた二つのイメージ（Ａ４サイズのイメージ）を結合するための通常の画像処理プロセス（ｉｍａｇｅ  ｐｒｏｃｅｓｓｉｎｇ）を行い、Ａ３サイズのスキャンイメージを生成する。
【００５２】
このように、本発明の第１実施例によるＡ３用紙スキャン機能を備えたＡ４スキャナーは、既存のスキャンセンサー（Ａ４専用）を用いてＡ３原稿をスキャンすることができる。
【００５３】
一方、本体１００にはＡ３原稿を支持するために平板ガラス１１０の下側、即ち、移送ローラー２２２の反対側端部に支持フラップ１４０が設けられる。即ち、支持フラップ１４０は、自動原稿給紙装置１３０及びスキャンセンサー２１０の長さ方向と垂直に平板ガラス１１０に引き入れられる本体１００外部に露出されたＡ３原稿１０の一部を支持する役割をする。
【００５４】
好ましくは、カバー１２０の下側下端、即ち、支持フラップ１４０と隣接したカバー１２０の下端には、Ａ３原稿１０がカバー１２０の端部に引っ掛かることなく容易に平板ガラス１１０側に引き入れられるように、所定空間に切開された原稿引入れ口１２１が形成される。
【００５５】
また、カバー１２０の上側下端、即ち、移送ローラー部材２２０と隣接したカバー１２０の下端には、Ａ３原稿１０がカバー１２０の端部に引っ掛かることなく容易に本体１００の外側に引出されるように、所定空間に切開された原稿引出し口１２２が形成される。
【００５６】
このような原稿引入れ口１２１及び原稿引出し口１２２によって、使用者はカバー１２０を開閉することなくＡ３原稿を容易に平板ガラス１１０に引入れるか、引出すことができる。
【００５７】
一方、自動原稿給紙装置１３０はＡ４原稿を自動で給紙するための移送ローラー１３１，１３２，１３３を備え、移送ローラー部材駆動モータ２３０はこの移送ローラー１３１，１３２，１３３に駆動力を伝達する。そして、本発明による移送ローラー部材２２０は、自動原稿給紙装置１３０の内部に設けられた移送ローラー１３１，１３２，１３３の何れかと連動されて駆動される。
【００５８】
具体的に、自動原稿給紙装置１３０の移送ローラーのうち、平板ガラス１１０に一番隣接した移送ローラー１３１とＡ３原稿を給紙するための移送ローラー部材２２０が互いに連動され、これらはギアボックス１３８内部で噛合って結合された一対のベベルギア１３８ａ，１３８ｂ（または、ウォームギア）を通して互いに連動されて駆動される。
【００５９】
このギアボックス１３８内部に設けられた一対のベベルギアのうち、第１ベベルギア１３８ａは、一側が第２ベベルギア１３８ｂと垂直方向に噛合い、他側はギアボックス１３８外部に露出され、自動原稿給紙装置１３０の移送ローラー１３１と並んで噛合って結合される。また、第２ベベルギア１３８ｂは、移送ローラー軸２２１の一端部に形成され、上述した第１ベベルギア１３８ａと垂直方向に噛合って結合される。
【００６０】
従って、移送ローラー部材駆動モータ２３０が駆動されると、自動原稿給紙装置１３０の移送ローラー１３１が回転され、この移送ローラー１３１の回転により、第１ベベルギア１３８ａ及びこれと噛合った第２ベベルギア１３８ｂが回転され、移送ローラー軸２２１が回転される。
【００６１】
この際に、自動原稿給紙装置１３０のみ用いてＡ４原稿のみスキャンする場合、移送ローラー部材２２０は回転せず、自動原稿給紙装置１３０内部の移送ローラー１３１のみ回転されるように、移送ローラー軸２２１に上下方向に弾性力を加えるバネ部材２４０を設けることができる。
【００６２】
従って、Ａ４原稿をスキャンする場合には、第１ベベルギア１３８ａと自動原稿給紙装置１３０の移送ローラー１３１が噛合わない状態となるようにバネ部材２４０を伸張させ、Ａ３原稿をスキャンする場合には、第１ベベルギア１３８ａと自動原稿給紙装置１３０の移送ローラー１３１が噛合った状態となるようにバネ部材２４０を圧縮させることにより、自動原稿給紙装置１３０の移送ローラー１３１と移送ローラー部材２２０が選択的に連動され、駆動されるようにすることができる。
【００６３】
図５は、本発明の第１実施例によるＡ３用紙スキャン機能を備えたＡ４スキャナーの分割スキャン方法を概略的に示したフローチャートである。
【００６４】
図２乃至図５に示したように、本発明の第１実施例によるＡ３用紙スキャン機能を備えたＡ４スキャナーのスキャニング部２００は、Ａ３原稿のスキャン機能を行うために信号を出力する原稿スキャンボタン２５０、及び原稿スキャンボタン２５０の信号によりスキャニング部２００がＡ３原稿をスキャンするように信号を出力する制御部を更に含む。
【００６５】
原稿スキャンボタン２５０は、図示されていないが、本体１００の一側に形成され、使用者がＡ３原稿をスキャンするためにクリックすることができるように構成されたものであって、本体１００とカバー１２０との間に形成された原稿引入れ口１２１を通して平板ガラス１１０に密着されたＡ３原稿１０がスキャンされるように制御部２９０に信号を出力する役割をする。
【００６６】
制御部２９０は、原稿スキャンボタン２５０から出力された信号の伝達を受け、スキャンセンサー２１０及び移送ローラー部材駆動モータ２３０が作動されるように信号を出力する。
【００６７】
具体的にＡ３原稿のスキャン方法を説明すると、次のようである。
【００６８】
まず、使用者がＡ３原稿をスキャンするために、Ａ３原稿１０の短側部（２１０ｍｍ）が移送ローラー部材２２０と接触され整列されるように、平板ガラス１１０にＡ３原稿を位置させた後（Ｓ１００）、原稿スキャンボタン２５０を押す（Ｓ２００）。
【００６９】
そうすると、制御部２９０は原稿スキャンボタン２５０の動作信号の伝達を受け、平板ガラス１１０に密着されたＡ３原稿１０の一部がスキャンされるようにスキャンセンサー２１０に信号を出力する。これにより、スキャンセンサー２１０は平板ガラス１１０の下部を往復移動しながら平板ガラス１１０に密着されたＡ３原稿をスキャンする。従って、Ａ３原稿の半分程度（Ａ４サイズ）がスキャンされる（Ｓ３００）。
【００７０】
この際に、スキャンセンサー２１０はＡ３原稿の半分サイズであるＡ４サイズより所定サイズだけ大きいサイズでＡ３原稿をスキャンすることが好ましい。
【００７１】
前記スキャンが完了し、一定時間が経過した後、制御部２９０は移送ローラー部材２２０が回転されるように、  移送ローラー部材駆動モータ２３０に信号を出力する。移送ローラー部材２２０が回転されると、Ａ３原稿のスキャンされていない残りの部分が移送ローラー部材２２０側に移送されて平板ガラス１１０に密着され、Ａ３原稿のスキャンされた部分は本体１００とカバー１２０との間に形成された原稿引出し口１２２を通して本体外部に露出される（Ｓ４００）。
【００７２】
次いで、制御部２９０は平板ガラス１１０に密着されたＡ３原稿の残りの部分がスキャンされるようにスキャンセンサー２１０に信号を出力し、これにより、スキャンセンサー２１０がもう一度平板ガラス１１０の下部で往復移動しながらＡ３原稿をスキャンする  （Ｓ５００）。
【００７３】
この際に、スキャンセンサー２１０はＡ３原稿の半分サイズであるＡ４サイズより所定サイズだけ大きいサイズでＡ３原稿をスキャンすることが好ましい。これは、後述されるイメージプロセッシングを行う過程においてスキャンされた二つのイメージが重なり合う、即ち、オーバーラップ（ｏｖｅｒｌａｐ）される部分が生じるようにして二つのイメージの併合された部分が滑らかに続くようにするためである。
【００７４】
このように、Ａ３原稿のスキャンが全部完了すると、画像処理部３００は分割スキャンされた二つのイメージ（Ａ４サイズ）を結合するためのイメージプロセッシングを行い、一つのＡ３サイズのイメージを生成する（Ｓ６００）。
【００７５】
従って、Ａ４原稿用スキャンセンサー２１０を用いてＡ３原稿のスキャンが可能である。
【００７６】
図６は本発明の第１実施例によるＡ３用紙スキャン機能を備えたＡ４スキャナーのスキャニング部の他の形態を概略的に示したブロック図であり、図７は本発明の第１実施例によるＡ３用紙スキャン機能を備えたＡ４スキャナーのスキャン方法の他の形態を概略的に示したフローチャートである。
【００７７】
図２乃至図７に示したように、本発明の第１実施例によるＡ３用紙スキャン機能を備えたＡ４スキャナーのスキャニング部２００は、Ａ３原稿のスキャン機能を行うために信号を出力する原稿スキャンボタン２５０、平板ガラス１１０上に整列された原稿のサイズを感知する原稿サイズ感知センサー２６０、及び原稿サイズ感知センサー２６０と原稿スキャンボタン２５０の信号によりスキャニング部２００がＡ３原稿をスキャンするように信号を出力する制御部２９０を更に含む。
【００７８】
原稿スキャンボタン２５０は、図示されていないが、本体１００の一側に形成され、使用者がＡ３原稿をスキャンするためにクリックすることができるように構成されたものであって、本体１００とカバー１２０との間に形成された原稿引入れ口１２１を通して平板ガラス１１０に密着されたＡ３原稿１０がスキャンされるように制御部２９０に信号を出力する役割をする。
【００７９】
原稿サイズ感知センサー２６０は原稿引入れ口１２１に設けられ、原稿引入れ口１２１を通して引入れられる原稿のサイズを感知する。この際に、制御部２９０は原稿サイズ感知センサー２６０から感知された感知結果、平板ガラス１１０に整列された原稿が原稿引入れ口１２１を通して外部に露出された場合、Ａ３原稿と判断し、平板ガラス１１０に整列された原稿が原稿引入れ口１２１を通して外部に露出されなかった場合、Ａ４原稿と判断する。
【００８０】
制御部２９０は、原稿スキャンボタン２５０及び原稿サイズ感知センサー２６０から出力された信号の伝達を受け、スキャンセンサー２１０及び移送ローラー部材駆動モータ２３０が作動されるように信号を出力することによって、Ａ３原稿である場合、分割スキャンが行われるようにする。
【００８１】
具体的にＡ３原稿のスキャン方法を説明すると、次のようである。
【００８２】
まず、使用者がＡ３原稿１０をスキャンするために平板ガラス１１０にＡ３原稿１０の短側部（２１０ｍｍ）が移送ローラー部材２２０と接触されて整列されるようにＡ３原稿を位置させた後（Ｓ１００）、原稿スキャンボタン２５０を押すと（Ｓ２００）、原稿サイズ感知センサー２６０が作動して平板ガラス１１０上に整列された原稿のサイズを感知し、制御部２９０に信号を伝達する（Ｓ２１０）。
【００８３】
次いで、制御部２９０は原稿サイズ感知センサー２６０から伝達された信号により、整列された原稿のサイズがＡ３サイズであるかを判断する（Ｓ２２０）。
【００８４】
この判断結果、原稿のサイズがスキャンセンサー２１０のスキャン容量範囲外である場合、即ち、Ａ３サイズである場合、制御部２９０は原稿スキャンボタン２５０の動作信号の伝達を受け、平板ガラス１１０に密着されたＡ３原稿１０の一部をスキャンするようにスキャンセンサー２１０に信号を出力する。
【００８５】
そうすると、スキャンセンサー２１０は平板ガラス１１０の下部を往復移動しながら平板ガラス１１０に密着されたＡ３原稿をスキャンする。従って、Ａ３原稿の半分程度（Ａ４サイズ）がスキャンされる（Ｓ３００）。
【００８６】
前記スキャンが完了し、一定時間が経過した後、制御部２９０は移送ローラー部材２２０が回転されるように、  移送ローラー部材駆動モータ２３０に信号を出力する。移送ローラー部材２２０が回転されると、Ａ３原稿のスキャンされていない残りの部分が移送ローラー部材２２０側に移送されて平板ガラス１１０に密着され、Ａ３原稿のスキャンされた部分は本体１００とカバー１２０との間に形成された原稿引出し口１２２を通して本体外部に露出される（Ｓ４００）。
【００８７】
次いで、制御部２９０は平板ガラス１１０に密着されたＡ３原稿の残りの部分がスキャンされるようにスキャンセンサー２１０に信号を出力し、これにより、スキャンセンサー２１０がもう一度平板ガラス１１０の下部で往復移動しながらＡ３原稿をスキャンする  （Ｓ５００）。
【００８８】
このように、Ａ３原稿のスキャンが全部完了すると、画像処理部３００は分割スキャンされた二つのイメージ（Ａ４サイズ）を結合するためのイメージプロセッシングを行い、一つのＡ３サイズのイメージを生成する（Ｓ６００）。
【００８９】
その反面、原稿サイズ感知センサー２６０の感知結果、原稿のサイズがスキャンセンサー２１０のスキャン容量範囲内にある場合、即ち、Ａ４サイズである場合、制御部２９０は原稿スキャンボタン２５０の動作信号の伝達を受け、平板ガラス１１０に密着されたＡ４原稿をスキャンするようにスキャンセンサー２１０に信号を出力する。
【００９０】
そうすると、スキャンセンサー２１０は平板ガラス１１０の下部を往復移動しながら平板ガラス１１０に密着されたＡ４原稿をスキャンする。従って、Ａ４原稿のスキャン作業が完了される（Ｓ２３０）。
【００９１】
このように、平板ガラス１１０上に整列された原稿のサイズにより、スキャンセンサー２１０及び移送ローラー部材駆動モータ２３０の動作を制御して、Ａ４原稿又はＡ３原稿を選択的にスキャンすることができる。
【００９２】
＜第２実施例＞
図８は本発明の第２実施例によるＡ３用紙スキャン機能を備えたＡ４スキャナーを概略的に示した斜視図であり、図９は本発明の第２実施例によるＡ３用紙スキャン機能を備えたＡ４スキャナーを概略的に示した側面構成図であり、図９ａは図９に示したＡ部分の拡大図であり、図１０は本発明の第２実施例によるＡ３用紙スキャン機能を備えたＡ４スキャナーのスキャニング部の一形態を概略的に示したブロック図である。
【００９３】
図８乃至図１０に示したように、本発明の第２実施例によるＡ３用紙スキャン機能を備えたＡ４スキャナーは、上部に原稿を積載できるように平板ガラス１１０を備えた本体１００と、本体１００の上部に備えられた平板ガラス１１０を開閉するカバー１２０を含むスキャナーであって、原稿を分割スキャンするスキャニング部２００、及びスキャニング部２００を通して分割スキャンされたイメージを結合する画像処理部３００を含んで構成される。
【００９４】
スキャニング部２００は、スキャンセンサー２１０、カバー１２０の一側に設けられた自動原稿給紙装置２２０、及び自動原稿給紙装置２２０の内部に設けられた移送ローラー部材２２１を駆動する移送ローラー部材駆動モータ２３０を含む。
【００９５】
スキャンセンサー２１０はＣＣＤ（ｃｈａｒｇｅ  ｃｏｕｐｌｅｄ  ｄｅｖｉｃｅ）モジュールであるＣＣＤＭ又はＣＩＳ（ＣＭＯＳ  Ｉｍａｇｅ  Ｓｅｎｓｏｒ）であって、本体１００の上部、正確には、後述される自動原稿給紙装置２２０の下部に設けられ、自動原稿給紙装置２２０を通して給紙される原稿をスキャンする。また、スキャンセンサー２１０は左右に往復移動が可能に設けられ、平板ガラス１１０上に載せられた原稿をスキャンすることができる。
【００９６】
一般的に、このスキャンセンサー２１０はＡ４サイズの原稿をスキャンするために、その長さがＡ４用紙の短側部長さ（２１０ｍｍ）に合わせて設計される。即ち、スキャンセンサー２１０は、Ａ４用紙の短側部（２１０ｍｍ）に並んで整列された状態でＡ４用紙の長側部（２９７ｍｍ）に沿って原稿をスキャンするように設計される。
【００９７】
自動原稿給紙装置２２０は、カバー１２０の後方側、正確にはスキャンセンサー２１０が設けられた位置の上部に設けられ、多枚の原稿が自動に給紙され排出されるように構成される。
【００９８】
具体的に、自動原稿給紙装置２２０は内部に多数のローラー２２１ａ，２２１ｂ，２２１ｃでなる移送ローラー部材２２１を備え、その後方側には原稿給紙口２２２及び原稿排紙口２２３が上下に一定間隔だけ離隔されて並んで形成されており、その前方側には原稿給紙口２２２を通して給紙された原稿の一部が平板ガラス１１０の外側に露出されるように原稿露出口２２４が形成されている。
【００９９】
また、原稿給紙口２２２及び原稿排紙口２２３の後方側には、上方に一定角度傾いて延長された原稿給紙台２２２ａ及び原稿排紙台２２３ａがそれぞれ備えられる。
【０１００】
そして、自動原稿給紙装置２２０の内部に設けられた移送ローラー部材２２１は、原稿給紙口２２２に隣接して設けられ、原稿給紙台２２２ａに積載された原稿を平板ガラス１１０側に給紙する給紙ローラー２２１ｂ、２２１ｃと、原稿露出口２２４に隣接して設けられ、給紙された原稿を原稿露出口２２４外側に露出されるようにするか、原稿排紙口２２３を通して原稿排紙台２２３ａに排紙する移送ローラー２２１ａを含めて構成される。
【０１０１】
この際に、移送ローラー２２１ａは、後述される移送ローラー部材駆動モータ２３０によって正回転又は逆回転され、給紙された原稿が原稿露出口２２４又は原稿排紙口２２３側に移送されるようにする役割をする。
【０１０２】
移送ローラー部材駆動モータ２３０は、給紙ローラー２２１ｂ、２２１ｃ及び移送ローラー２２１ａに駆動力を伝達するように多数のギア（図示せず）を通して給紙ローラー２２１ｂ、２２１ｃ及び移送ローラー２２１ａと結合されており、移送ローラー２２１ａが正回転又は逆回転されるように移送ローラー２２１ａに駆動力を伝達する。
【０１０３】
このように構成されたスキャニング部２００は、Ａ３原稿をスキャンする場合、  移送ローラー２２１ａが回転するとともに、原稿給紙口２２２に積載されたＡ３原稿の一部は平板ガラス１１０に密着され、残りの一部は平板ガラス１１０の外側に位置されるようにした状態で、スキャンセンサー２１０が平板ガラス１１０に密着された原稿をスキャンする。その後、移送ローラー２２１ａが再び回転するとともに、スキャンされていない原稿の残りの部分が平板ガラス１１０に密着されるようにした状態で、スキャンセンサー２１０が平板ガラス１１０に密着された原稿の残りの部分をスキャンする。その後、移送ローラー２２１ａはまた回転し、スキャン作業が終了された原稿が原稿排紙口２２３を通して外部に排紙されるようにする。
【０１０４】
従って、スキャンセンサー２１０が二回往復移動しながらＡ３原稿全体をスキャンすることになる。即ち、Ａ４原稿のみスキャンできた一般的なスキャンセンサー２１０を用いて、自分のスキャン容量の二倍サイズのＡ３用紙をスキャンすることができる。
【０１０５】
画像処理部３００は、スキャニング部２００を通してスキャンされた二つのイメージ（Ａ４サイズのイメージ）を結合するための通常のイメージプロセッシング（ｉｍａｇｅ  ｐｒｏｃｅｓｓｉｎｇ）を行い、Ａ３サイズのスキャンイメージを生成する。
【０１０６】
このように、本発明によるＡ３用紙スキャン機能を備えたＡ４スキャナーは、既存のスキャンセンサー（Ａ４専用）を用いてＡ３原稿をスキャンすることができる。
【０１０７】
図１１は本発明によるＡ３用紙スキャン機能を備えたＡ４スキャナーのスキャン方法を概略的に示したフローチャートであり、図１２ａ乃至図１２ｄは本発明によるＡ３用紙スキャン機能を備えたＡ４スキャナーのスキャン過程を概略的に示した斜視図である。
【０１０８】
図８乃至図１２ｄに示したように、本発明の第２実施例によるＡ３用紙スキャン機能を備えたＡ４スキャナーのスキャニング部２００はＡ３原稿のスキャン機能を行うために信号を出力する原稿スキャンボタン２４０、及び原稿スキャンボタン２４０の信号によりスキャニング部２００がＡ３原稿をスキャンするように信号を出力する制御部２９０を更に含む。
【０１０９】
原稿スキャンボタン２４０は図示されていないが、本体１００の一側に形成され、使用者がＡ３原稿をスキャンするためにクリックすることができるように構成されたものであって、自動原稿給紙装置２２０を通して平板ガラス１１０に密着されたＡ３原稿がスキャンされるように制御部２９０に信号を出力する役割をする。
【０１１０】
制御部２９０は、原稿スキャンボタン２４０から出力された信号の伝達を受け、スキャンセンサー２１０及び移送ローラー部材駆動モータ２３０が作動されるように信号を出力する。
【０１１１】
具体的にＡ３原稿のスキャン方法を説明すると、次のようである。
【０１１２】
まず、図１２ａに示したように、使用者がＡ３原稿１０をスキャンするために自動原稿給紙装置２２０の原稿給紙台２２２ａに原稿１０を整列させた後（Ｓ１００）、原稿スキャンボタン２４０を押す（Ｓ２００）。
【０１１３】
そうすると、制御部２９０は、原稿スキャンボタン２４０の動作信号の伝達を受け、移送ローラー部材２２１が駆動されるように移送ローラー部材駆動モータ２３０に制御信号を出力する。これにより、移送ローラー２２１ａが正回転され、図１２ｂに示したように原稿給紙台２２２ａに積載された原稿１０の半分程度が平板ガラス１１０に密着され、残りの部分は原稿給紙台２２２ａに積載された状態となる（Ｓ３００）。
【０１１４】
これと同時に、制御部２９０は、平板ガラス１１０に密着されたＡ３原稿１０の一部がスキャンされるようにスキャンセンサー２１０に信号を出力する。これにより、スキャンセンサー２１０は左右に往復移動しながら平板ガラス１１０に密着されたＡ３原稿の一部を１次的にスキャンする（Ｓ４００）。
【０１１５】
この際に、スキャンセンサー２１０はＡ３原稿の半分サイズであるＡ４サイズより所定サイズだけ大きいサイズでＡ３原稿をスキャンすることが好ましい。
【０１１６】
前記１次スキャンが完了し、一定時間が経過すると、制御部２９０は再び移送ローラー部材２２１が駆動されるように移送ローラー部材駆動モータ２３０に信号を出力する。
【０１１７】
そうすると、移送ローラー２２１ａが正回転され、図１２ｃに示したように、Ａ３原稿１０のスキャンされた部分が原稿露出口２２４の外側に露出されるとともに、Ａ３原稿１０のスキャンされていない残りの部分が平板ガラス１１０に密着された状態となる（Ｓ５００）。
【０１１８】
これと同時に、制御部２９０は、平板ガラス１１０に密着されたＡ３原稿１０がスキャンされるようにスキャンセンサー２１０に信号を出力する。これにより、スキャンセンサー２１０は左右に往復移動しながら平板ガラス１１０に密着されたスキャンされていないＡ３原稿の残りの部分を２次的にスキャンする（Ｓ６００）。
【０１１９】
この際に、スキャンセンサー２１０はＡ３原稿の半分サイズであるＡ４サイズより所定サイズだけ大きいサイズでＡ３原稿をスキャンすることが好ましい。これは、後述されるイメージプロセッシングを行う過程においてスキャンされた二つのイメージが重なり合う、即ち、オーバーラップ（ｏｖｅｒｌａｐ）される部分が生じるようにして二つのイメージの併合された部分が滑らかに続くようにするためである。
【０１２０】
このように、二回のスキャン作業が終了した後、制御部２９０は移送ローラー２２１ａが逆回転するように移送ローラー部材２２１に信号を出力する。これにより、  移送ローラー２２１ａが逆回転しながら、図１２ｄに示したように、Ａ３原稿１０が原稿排紙口２２３を通して排紙され、原稿排紙台２２３ａに積載される。
【０１２１】
Ａ３原稿の分割スキャンが全部完了すると、画像処理部３００は分割スキャンされた二つのイメージ（Ａ４サイズ）を結合するためのイメージプロセッシングを行い、一つのＡ３サイズのイメージを生成する。
【０１２２】
従って、Ａ４原稿用スキャンセンサー２１０を用いてＡ３原稿のスキャンが可能である。
【０１２３】
一方、本発明の第２実施例によるＡ３用紙スキャン機能を備えたＡ４スキャナーは、図１３ａ乃至１３ｄに示された方法で分割スキャン作業を行うことができる。
【０１２４】
まず、図１３ａに示したように、使用者がＡ３原稿をスキャンするために自動原稿給紙装置２２０の原稿給紙台２２２ａに積載させた後、原稿スキャンボタン２４０を押すと、制御部２９０は、原稿スキャンボタン２４０の動作信号の伝達を受け、移送ローラー部材２２１が駆動されるように移送ローラー部材駆動モータ２３０に信号を出力する。
【０１２５】
そうすると、移送ローラー２２１ａが正回転され、図１３ｂに示したように原稿給紙台２２２ａに積載された原稿１０の半分程度が平板ガラス１１０に密着され、残りの部分は原稿露出口２２４の外側に露出された状態となる。
【０１２６】
これと同時に、制御部２９０は、平板ガラス１１０に密着されたＡ３原稿の一部がスキャンされるようにスキャンセンサー２１０に信号を出力する。これにより、スキャンセンサー２１０は左右に往復移動しながら平板ガラス１１０に密着されたＡ３原稿１０の一部を１次的にスキャンする。
【０１２７】
前記１次スキャンが完了し、一定時間が経過すると、制御部２９０は再び移送ローラー部材２２１が駆動されるように移送ローラー部材駆動モータ２３０に制御信号を出力する。
【０１２８】
今度は、移送ローラー２２１ａが逆回転され、図１３ｃに示したように、Ａ３原稿１０が後退しながらスキャンされた部分が自動原稿給紙装置２２０の内部に位置し、Ａ３原稿１０のスキャンされていない残りの部分が平板ガラス１１０に密着された状態となる。
【０１２９】
これと同時に、制御部２９０は、平板ガラス１１０に密着されたＡ３原稿１０がスキャンされるようにスキャンセンサー２１０に信号を出力する。これにより、スキャンセンサー２１０は左右に往復移動しながら平板ガラス１１０に密着されたＡ３原稿を２次的にスキャンする。
【０１３０】
このように、二回のスキャン作業が終了した後、制御部２９０は移送ローラー２２１ａが続いて逆回転するように移送ローラー部材２２１に信号を出力する。これにより、移送ローラー２２１ａが逆回転しながら、図１３ｄに示したように、Ａ３原稿１０が原稿排紙口２２３を通して排紙され、原稿排紙台２２３ａに積載される。
【０１３１】
このようにＡ３原稿の分割スキャンが全部完了すると、画像処理部３００は個別的にスキャンされた二つのイメージ（Ａ４サイズ）を結合するためのイメージプロセッシングを行い、一つのＡ３サイズのイメージを生成する。
【０１３２】
従って、Ａ４原稿用スキャンセンサー２１０を用いてＡ３原稿のスキャンが可能である。
【０１３３】
一方、図１４は本発明の第２実施例によるＡ３用紙スキャン機能を備えたＡ４スキャナーのスキャニング部の他の形態を概略的に示したブロック図であり、図１５は本発明の第２実施例によるＡ３用紙スキャン機能を備えたＡ４スキャナーのスキャン方法の他の形態を概略的に示したフローチャートである。
【０１３４】
図面に示したように、本発明の第２実施例によるＡ３用紙スキャン機能を備えたＡ４スキャナーのスキャニング部２００は、Ａ３原稿のスキャン機能を行うために信号を出力する原稿スキャンボタン２４０、平板ガラス１１０上に整列された原稿のサイズを感知する原稿サイズ感知センサー２５０、及び原稿サイズ感知センサー２５０と原稿スキャンボタン２４０の信号によりスキャニング部２００がＡ３原稿をスキャンするように信号を出力する制御部２９０を更に含む。
【０１３５】
図面に具体的に示されてはいないが、原稿サイズ感知センサー２５０は原稿給紙台２２２ａに設けられ、原稿給紙台２２２ａに積載された原稿のサイズを感知する。この際に、制御部２９０は原稿サイズ感知センサー２５０から感知された感知結果、  原稿給紙台２２２ａに整列された原稿が原稿給紙台２２２ａ  外部に露出された場合、Ａ３原稿と判断し、  原稿給紙台２２２ａに整列された原稿が原稿給紙台２２２ａ外部に露出されなかった場合、Ａ４原稿と判断する。
【０１３６】
制御部２９０は、原稿スキャンボタン２４０及び原稿サイズ感知センサー２５０から出力された信号の伝達を受け、スキャンセンサー２１０及び移送ローラー部材駆動モータ２３０が作動されるように信号を出力することによって、Ａ３原稿である場合、分割スキャンが行われるようにする。
【０１３７】
このように、図１４及び図１５に示された原稿サイズ感知センサー２５０を更に備えたＡ３用紙スキャン機能を備えたＡ４スキャナーのスキャン方法は、図１１のフローチャートに示したスキャン方法と同一であるが、使用者が原稿スキャンボタン２４０をクリックした後、次の段階を更に含む。
【０１３８】
具体的に、使用者が原稿スキャンボタン２４０をクリックすると（Ｓ２００）、原稿サイズ感知センサー２５０が原稿給紙台２２２ａに整列された原稿のサイズを感知し、制御部２９０に信号を伝達する（Ｓ２１０）。
【０１３９】
次いで、制御部２９０は原稿サイズ感知センサー２５０から伝達された信号により、整列された原稿のサイズがＡ３サイズであるかを判断する（Ｓ２２０）。
【０１４０】
この判断結果、原稿のサイズがスキャンセンサー２１０のスキャン容量範囲外である場合、即ち、Ａ３サイズである場合、制御部２９０は原稿スキャンボタン２４０の動作信号の伝達を受け、移送ローラー部材２２１が駆動されるように移送ローラー部材駆動モータ２３０に信号を出力する。
【０１４１】
そうすると、移送ローラー２２１ａが正回転され、原稿給紙台２２２ａに積載された原稿１０の半分程度が平板ガラス１１０に密着される（Ｓ３００）。
【０１４２】
次いで、前述したＳ３００〜Ｓ７００までの段階を行ってＡ３原稿を分割スキャンし、Ａ３サイズのイメージを生成する。
【０１４３】
一方、前記Ｓ２２０段階の判断結果、原稿のサイズがスキャンセンサー２１０のスキャン容量範囲内にある場合、即ち、Ａ４サイズである場合、制御部２９０は移送ローラー部材２２１が駆動されるように移送ローラー部材駆動モータ２３０に信号を出力することによって、Ａ４原稿全体が平板ガラス１１０に密着されるようにする（Ｓ２３０）。
【０１４４】
そして、制御部２９０は、平板ガラス１１０に密着されたＡ４原稿がスキャンされるようにスキャンセンサー２１０に信号を出力する。これにより、スキャンセンサー２１０は左右に往復移動しながら平板ガラス１１０に密着されたＡ４原稿全体をスキャンする（Ｓ２４０）。
【０１４５】
このように、原稿給紙台２２２ａ上に整列された原稿のサイズによって、スキャンセンサー２１０及び移送ローラー部材駆動モータ２３０の動作を制御し、Ａ４原稿又はＡ３原稿を選択的にスキャンすることができる。
【０１４６】
本発明ではＡ４専用スキャンセンサーを用いてＡ３原稿をスキャンするスキャナーに対して説明したが、Ａ３専用スキャンセンサーを用いてＡ２原稿をスキャンするスキャナーのように、スキャンセンサーのスキャン容量の二倍サイズの原稿をスキャンするスキャナーは全て本発明の権利範囲に含まれるものとして解釈されるべきである。
【０１４７】
従って、本発明の保護範囲は特許請求の範囲により解釈されるべきである。また、本発明の属する技術分野で通常の知識を有する者なら、本発明の本質的な特性から外れない範囲で多様な修正及び変更が可能であるため、本発明と同等な範囲内にある全ての技術思想は本発明の権利範囲に含まれるものとして解釈されるべきである。
【図１】
2010273314.tif 000003
【図２】
2010273314.tif 000004
【図３】
2010273314.tif 000005
【図３ａ】
2010273314.tif 000006
【図４】
2010273314.tif 000007
【図５】
2010273314.tif 000008
【図６】
2010273314.tif 000009
【図７】
2010273314.tif 000010
【図８】
2010273314.tif 000011
【図９】
2010273314.tif 000012
【図９ａ】
2010273314.tif 000013
【図１０】
2010273314.tif 000014
【図１１】
2010273314.tif 000015
【図１２ａ】
2010273314.tif 000016
【図１２ｂ】
2010273314.tif 000017
【図１２ｃ】
2010273314.tif 000018
【図１２ｄ】
2010273314.tif 000019
【図１３ａ】
2010273314.tif 000020
【図１３ｂ】
2010273314.tif 000021
【図１３ｃ】
2010273314.tif 000022
【図１３ｄ】
2010273314.tif 000023
【図１４】
2010273314.tif 000024
【図１５】
2010273314.tif 000025